(57)【特許請求の範囲】
【請求項１】
互いに嵌め合わせ可能な甲ケース体（４１）と乙ケース体（４２）とで構成され且つ前記甲ケース体（４１）側の甲ケース側貼付面（８２ａ）と前記乙ケース体（４２）側の乙ケース側貼付面（８２ｂ）とに跨って封印シール（４５）が貼付される基板ケース（４３）を、遊技機本体の所定箇所に着脱可能に備えた遊技機において、前記甲ケース側貼付面（８２ａ）と前記乙ケース側貼付面（８２ｂ）との間に配置され、刃先が前記両貼付面（８２ａ，８２ｂ）の外側に突出しない退避状態と突出する切断状態との間で移動可能なシールカッター（５１）と、前記基板ケース（４３）に装着され且つ前記封印シール（４５）の表面を略覆う被覆状態と前記封印シール（４５）の表面から離間する開放状態との間で移動可能なシールカバー（５０）とを備え、貼付された状態の前記封印シール（４５）を前記退避状態のシールカッター（５１）と前記被覆状態のシールカバー（５０）とで両面から挟み込むように前記シールカバー（５０）と前記シールカッター（５１）とを前記基板ケース（４３）に装着すると共に、前記シールカッター（５１）の前記退避／切断状態と前記シールカバー（５０）の前記被覆／開放状態とが対応するように前記シールカッター（５１）と前記シールカバー（５０）とを連動手段（１７２）により連動させ、前記甲ケース側貼付面（８２ａ）と前記乙ケース側貼付面（８２ｂ）とを前記基板ケース（４３）における前記所定箇所への装着面とは反対側に配置し、前記基板ケース（４３）を前記所定箇所に装着した状態で、透明に形成された前記シールカバー（５０）を介して前記封印シール（４５）の被切断部が視認可能であることを特徴とする遊技機。
【請求項２】
前記シールカバー（５０）を前記被覆状態で前記基板ケース（４３）に固定すると共に所定部位を損壊しなければその固定状態を解除できないように構成されたシールカバー封止手段（１１２，１４３）を備え、前記基板ケース（４３）を前記所定箇所に装着した状態で前記所定部位が視認可能であることを特徴とする請求項１に記載の遊技機。
【発明の詳細な説明】
【技術分野】
【０００１】
本発明は、パチンコ機、スロットマシン等の遊技機に関するものである。
【背景技術】
【０００２】
パチンコ機、スロットマシン等の遊技機では、各種制御基板等が基板ケースに格納された状態で本体裏側等に装着されている。一般的な基板ケースは、甲ケース体と乙ケース体とを開閉可能に組み合わせることにより略箱形となるように構成されている。
【０００３】
また、遊技機の基板ケースには、内部の制御基板に対する不正を防止するため、ＩＣタグシール等の封印シールを甲ケース体と乙ケース体とに跨るように貼付する等の対策が施される場合がある（例えば特許文献１）。
【先行技術文献】
【特許文献】
【０００４】
【特許文献１】特開２００８−２５９７５０号公報
【発明の概要】
【発明が解決しようとする課題】
【０００５】
封印シールには、多数の細かい切り込みを設けるなど、剥がそうとするとその痕跡が残るように各種の加工が施されているが、あくまでも粘着剤によって貼付されているだけであるため、特殊な道具や薬剤等を用いて痕跡を残すことなく剥がされ、再度貼付される可能性を完全に否定することはできない。
【０００６】
本発明は、上記事情に鑑みてなされたものであり、その目的とするところは、基板ケースから痕跡を残すことなく封印シールを剥がし取ることを完全に防止できる遊技機を提供することにある。
【課題を解決するための手段】
【０００７】
本発明は、互いに嵌め合わせ可能な甲ケース体４１と乙ケース体４２とで構成され且つ前記甲ケース体４１側の甲ケース側貼付面８２ａと前記乙ケース体４２側の乙ケース側貼付面８２ｂとに跨って封印シール４５が貼付される基板ケース４３を、遊技機本体の所定箇所に着脱可能に備えた遊技機において、前記甲ケース側貼付面８２ａと前記乙ケース側貼付面８２ｂとの間に配置され、刃先が前記両貼付面８２ａ，８２ｂの外側に突出しない退避状態と突出する切断状態との間で移動可能なシールカッター５１と、前記基板ケース４３に装着され且つ前記封印シール４５の表面を略覆う被覆状態と前記封印シール４５の表面から離間する開放状態との間で移動可能なシールカバー５０とを備え、貼付された状態の前記封印シール４５を前記退避状態のシールカッター５１と前記被覆状態のシールカバー５０とで両面から挟み込むように前記シールカバー５０と前記シールカッター５１とを前記基板ケース４３に装着すると共に、前記シールカッター５１の前記退避／切断状態と前記シールカバー５０の前記被覆／開放状態とが対応するように前記シールカッター５１と前記シールカバー５０とを連動手段１７２により連動させ、前記甲ケース側貼付面８２ａと前記乙ケース側貼付面８２ｂとを前記基板ケース４３における前記所定箇所への装着面とは反対側に配置し、前記基板ケース４３を前記所定箇所に装着した状態で、透明に形成された前記シールカバー５０を介して前記封印シール４５の被切断部が視認可能となるようにしたものである。
【発明の効果】
【０００８】
本発明によれば、シールカバー５０を装着したままでは封印シール４５を剥がすことができず、またシールカバー５０を取り外す際にはシールカッター５１により封印シール４５が破損するため、基板ケース４３から痕跡を残すことなく封印シールを剥がし取ることを完全に防止できる。
【図面の簡単な説明】
【０００９】
【図１】本発明の一実施形態を示すスロットマシンの全体斜視図である。
【図２】本体ケースの正面図である。
【図３】取付ベース及び主基板ケースユニットの正面図である。
【図４】主基板ケースユニットの側面図である。
【図５】主基板ケースユニット及び取付ベースの分解斜視図である。
【図６】主基板ケースユニットの要部分解斜視図である。
【図７】主基板ケースユニット及び取付ベースの要部分解斜視図である。
【図８】裏ケース体、表ケース体、閉鎖封止部材とこれらを連結する連結部材の関係を示す説明図である。
【図９】シールカバーの斜視図である。
【図１０】主基板ケースの結合・封止手順を示す説明図である。
【図１１】同じく主基板ケースの結合・封止手順を示す説明図である。
【図１２】同じく主基板ケースの結合・封止手順を示す説明図である。
【図１３】主基板ケースへのシールカッター及びＩＣタグシールの装着手順を示す説明図である。
【図１４】主基板ケースへのシールカバーの装着手順を示す説明図である。
【図１５】シールカッター、ＩＣタグシール及びシールカバーを装着した状態での主基板ケースの平面断面図である。
【図１６】主基板ケースの取付ベースへの装着・封止手順を示す説明図である。
【図１７】取付ベース及び主基板ケースの封止状態での側面断面図である。
【図１８】主基板ケースの取付ベースに対する封止の解除手順を示す説明図である。
【図１９】主基板ケースに対するＩＣタグシール及びシールカバーによる封止の解除手順を示す説明図である。
【図２０】主基板ケースの封止解除手順を示す説明図である。
【図２１】主基板ケースの２回目の封止手順を示す説明図である。
【図２２】主基板ケースの取付ベースへの２回目の封止手順を示す説明図である。
【図２３】主基板ケースの取付ベースに対する２回目の封止解除手順を示す説明図である。
【図２４】主基板ケースの２回目の封止解除手順を示す説明図である。
【発明を実施するための形態】
【００１０】
以下、本発明の実施形態を図面に基づいて詳述する。図１〜図２４は本発明をスロットマシンに採用した一実施形態を例示している。なお、以下の説明における上下左右の方向については、特に基準を示さない限り遊技機本体を前側から見た場合の上下左右をいうものとする。
【００１１】
図１及び図２において、遊技機本体を構成する筐体１は、本体ケース２と、この本体ケース２の前側に配置された矩形状の前面パネル３とを備えている。本体ケース２は例えば木製で、左右一対の側板４ａ，４ｂと、それら左右の側板４ａ，４ｂの上下両端側を左右に連結する上板５及び底板６と、背面側を略塞ぐ背板７とにより前側が開放する箱形に形成されており、その前側を開閉自在に閉鎖するように前面パネル３が装着されている。
【００１２】
本体ケース２内には、図２に示すように、複数個の図柄表示リール８ａ〜８ｃが左右方向に配列された表示リールユニット９の他、メダル払い出し装置１０、メダル補助ケース１１、電源基板が格納された電源基板ケース１２、主制御基板１３が収容された主基板ケースユニット１４等が配置されている。表示リールユニット９は、例えば左右の側板４ａ，４ｂ間に架設された中間棚１５上に着脱自在に装着されている。
【００１３】
メダル払い出し装置１０は、払い出し用のメダルを貯留するメダルホッパー１６、メダルホッパー１６内のメダルを払い出すメダル払い出し手段１７、メダルホッパー１６から溢れたメダルをメダル補助ケース１１側に排出する余剰メダル排出口１８等を備え、底板６上に着脱自在に装着されている。メダル補助ケース１１は側板４ｂに近接して底板６上に装着され、電源基板ケース１２はメダル補助ケース１１と反対側で側板４ａの下部側に装着されている。また、主基板ケースユニット１４は、本体ケース２内の縦壁面、例えば背板７の前面側で且つ表示リールユニット９の上側近傍に配置されている。
【００１４】
図１に示すように、前面パネル３は左右一端側、例えば左側に配置されたヒンジ手段
（図示省略）を介して本体ケース２に対して開閉自在に装着されており、その上部側には第１表示窓２１と第２表示窓２２とが上下に配置されている。第１表示窓２１は、前面パネル３の裏側に装着された液晶表示ユニット（図示省略）の表示画面２３に対応して矩形状に形成されており、遊技者はこの第１表示窓２１を介して表示画面２３を前側から視認可能となっている。第２表示窓２２は、本体ケース２側の図柄表示リール８ａ〜８ｃに対応して、例えば第１表示窓２１よりも大型の矩形状に形成されており、遊技者はこの第２表示窓２２を介して図柄表示リール８ａ〜８ｃを前側から視認可能となっている。
【００１５】
また第２表示窓２２の下側には、横長状の操作パネル部２４が設けられている。この操作パネル部２４の上面側には、遊技媒体としてのメダルを投入可能なメダル投入口２５の他、１ベットボタン２６、マックスベットボタン２７及びクレジット精算ボタン２８が設けられている。操作パネル部２４の前面側には、図柄表示リール８ａ〜８ｃの回転を開始させるためのスタートレバー３１、回転中の図柄表示リール８ａ〜８ｃを夫々個別に停止させるためのストップボタン３２ａ〜３２ｃ、メダル投入口２５内に詰まったメダルを返却させるための返却ボタン３３等が設けられている。
【００１６】
前面パネル３の下端部前側には、メダル払い出し手段１７から払い出されたメダルや返却されたメダルを前側に排出するための排出口３４が設けられ、その前側に、排出口３４から排出されたメダルを受けるメダル受け皿３５が横長状に配置されている。
【００１７】
主基板ケースユニット１４は、主制御基板１３を保護しつつ本体ケース２内に装着するためのもので、取付ベース３６を介して背板７の前面側に固定されており、図３〜図５等に示すように、主制御基板１３と、互いに嵌め合わせ可能な裏ケース体（甲ケース体）４１と表ケース体（乙ケース体）４２とで開閉自在に構成され且つ内部に主制御基板１３を格納可能な主基板ケース（基板ケース）４３と、主制御基板１３上の特定のコネクタ６１ａをカバーするコネクタカバー４６と、主基板ケース４３を閉状態で封止する閉鎖封止部材４７と、主基板ケース４３を取付ベース３６に対して装着状態で封止する装着封止部材４８と、裏ケース体４１と表ケース体４２とを開閉可能な状態で連結する第１連結手段４９ａと、表ケース体４２と閉鎖封止部材４７とを封止操作可能な状態で連結する第２連結手段４９ｂと、主基板ケース４３上に貼付されたＩＣタグシール（封印シール）４５の表面を覆うシールカバー５０と、このシールカバー５０の開放動作に連動してＩＣタグシール４５を切断するシールカッター５１とを備えている。なお、第１連結手段４９ａと第２連結手段４９ｂとは１つの連結部材５２として一体に形成されている。
【００１８】
また、主基板ケース４３は、裏ケース体４１と表ケース体４２とを所定方向、例えば左右方向（以下、閉鎖スライド方向という）に互いに相対的にスライドさせることにより、閉鎖ロック手段５３により互いに嵌め合わせた状態が保持される閉鎖ロック状態と保持されない閉鎖アンロック状態とを切り換え可能となっている。ここで、閉鎖ロック手段５３は、図５に示すように裏ケース体４１側の閉鎖係合手段５４と表ケース体４２側の閉鎖被係合手段５５とで構成されており、それら閉鎖係合手段５４と閉鎖被係合手段５５とが互いに係合する閉鎖ロック状態において閉鎖封止部材４７により封止（閉鎖封止状態）されるようになっている。
【００１９】
また、閉鎖封止状態の主基板ケース４３は、取付ベース３６に対して所定方向、例えば閉鎖スライド方向と同じ左右方向（以下、装着スライド方向という）に相対的にスライドさせることにより、装着ロック手段５６により装着状態が保持される装着ロック状態と保持されない装着アンロック状態とを切り換え可能となっている。なお、本実施形態では２種類の装着ロック状態が設けられており、取付ベース３６に対して主基板ケース４３を装着アンロック状態から装着スライド方向の一方、例えば右にスライドさせることにより第１装着ロック状態となり、主基板ケース４３を装着アンロック状態から装着スライド方向の他方、例えば左にスライドさせることにより第２装着ロック状態となるように構成されている。
【００２０】
ここで、装着ロック手段５６は、図５に示すように取付ベース３６側の装着係合手段５７と表ケース体４２側の装着被係合手段５８とで構成され、それら装着係合手段５７と装着被係合手段５８とが互いに係合する２種類の第１，第２装着ロック状態で夫々封止（第１，第２装着封止状態）されるようになっているが、装着封止部材４８はそれら第１，第２装着ロック状態のうち、第１装着ロック状態での封止（第１装着封止状態）に用いられるようになっている。
【００２１】
主制御基板１３は、スタートレバー３１、ストップボタン３２ａ〜３２ｃ等の操作に基づいて図柄表示リール８ａ〜８ｃの回転、停止その他の遊技動作を制御するためのもので、例えば横長矩形状に形成され、その一面側（ここでは前面側）の電子部品装着面１３ａには、外縁に沿って配置される複数個のコネクタ６１、それらコネクタ６１よりも内側に配置されるＲＯＭ６２等、多数の電子部品が装着されている。
【００２２】
主基板ケース４３は、裏ケース体４１と表ケース体４２とを主制御基板１３の裏面１３ｂ側（ここでは後側）と表面、即ち電子部品装着面１３ａ側（ここでは前側）から互いに嵌め合わせることにより、基板格納部６３、封止部６４、ＩＣタグシール貼付部６５等が形成されるようになっている。
【００２３】
基板格納部６３は、主制御基板１３が格納される部分で、裏ケース体４１側の裏蓋部６３ａと表ケース体４２側の表蓋部６３ｂとで例えば前後に偏平な横長矩形状の箱形に形成されている。また、封止部６４は、閉鎖封止部材４７及び装着封止部材４８を装着して封止を行うための部分で、裏ケース体４１側の裏ケース側封止部６４ａと表ケース体４２側の表ケース側封止部６４ｂとで構成され、基板格納部６３に対して閉鎖スライド方向の一方側、例えば右側に配置されている。ＩＣタグシール貼付部６５は、ＩＣタグシール４５を貼付するための部分で、裏ケース体４１側の裏ケース側貼付部６５ａと表ケース体４２側の表ケース側貼付部６５ｂとで構成され、基板格納部６３に対して閉鎖スライド方向の一方側、例えば封止部６４と同じ右側に封止部６４と並んで配置されている。
【００２４】
なお、ＩＣタグシール貼付部６５に貼付されるＩＣタグシール４５は、図５に示すように、片面側に粘着面が形成された略矩形状のベースシート４５ａと、このベースシート４５ａ上の所定位置、例えば略中心部に配置されるＩＣチップ４５ｂと、ベースシート４５ａに沿って配置され且つ読み取り機からの磁場を受けたときの電磁誘導作用による起電力をＩＣチップ４５ｂに供給するアンテナ４５ｃとで構成されている。ＩＣチップ４５ｂには、当該パチンコ機の機種、制御基板の製造番号等の管理情報が記録されており、またベースシート４５ａの表面には例えばその管理情報と対応付けられた識別番号その他の識別情報が表示されている。
【００２５】
裏ケース体４１は、主制御基板１３の裏面１３ｂ側に対応するもので、図５〜図８に示すように、基板格納部６３を構成する裏蓋部６３ａ、封止部６４を構成する裏ケース側封止部６４ａ、ＩＣタグシール貼付部６５を構成する裏ケース側貼付部６５ａ、連結部材５２の裏ケース側固定部６６ａを固定するための固定ベース部６７等を備え、例えば透明な合成樹脂により一体形成されている。
【００２６】
裏蓋部６３ａは、主制御基板１３の裏面１３ｂに対向する例えば横長矩形状の底壁６８と、この底壁６８の四辺のうち、閉鎖スライド方向に沿う一対の辺、即ち上辺及び下辺に沿って表ケース体４２側（前側）に向けて立設される一対の嵌合壁６９，７０と、底壁６８の内面（基板格納部６３の内側に対応する面）側に複数設けられ且つ主制御基板１３の裏面１３ｂに略当接する所定高さに突設される基板支持リブ７１等を備えている。
【００２７】
嵌合壁６９，７０には、閉鎖ロック手段５３を構成する閉鎖係合手段５４が長手方向に沿って夫々１又は複数、例えば４つずつ設けられている。この閉鎖係合手段５４は、図６に示すように、嵌合壁６９，７０の縁部から表ケース体４２側に向けて突出する係合脚部５４ａと、この係合脚部５４ａの先端側から閉鎖スライド方向の一方側、例えば封止部６４と反対側（ここでは左側）に突出する係合爪部５４ｂとで略Ｌ字型に形成されている。
【００２８】
裏ケース側封止部６４ａは、裏蓋部６３ａの例えば右側に一体に設けられており、例えば裏蓋部６３ａ側の底壁６８から延設された裏カバー板７２と、この裏カバー板７２上に設けられた例えば２つの第１，第２裏ケース側封止装着部（甲ケース側封止装着部）７３ａ，７４ａと、それら第１，第２裏ケース側封止装着部７３ａ，７４ａに対して裏蓋部６３ａと反対側に配置され且つ表ケース体４２側（前側）に向けて例えば膨出状に立設された端部壁７５等を一体に備えている。
【００２９】
第１，第２裏ケース側封止装着部７３ａ，７４ａは、裏蓋部６３ａの右縁部に沿って例えば第１裏ケース側封止装着部７３ａが第２裏ケース側封止装着部７４ａの下側にくるように上下に隣接して配置されている。これら第１，第２裏ケース側封止装着部７３ａ，７４ａは、夫々表ケース体４２側に向けて開口する例えば四角形の有底筒状に形成されており、図７に示すように、その底板部７６が裏カバー板７２の裏側に若干突出した状態でその裏カバー板７２に一体に設けられている。また、第１，第２裏ケース側封止装着部７３ａ，７４ａの底板部７６には、装着スライド方向に対して直交する方向、即ち上下方向に突出する一対の嵌合鍔部７７が一体に設けられている。
【００３０】
また、第２裏ケース側封止装着部７４ａの底板部７６上には、例えば細長状の貫通孔７８が装着スライド方向に形成されている。更に、第１裏ケース側封止装着部７３ａの底板部７６上には、例えばその略中央に開口蓋７９が一体に設けられ、またその開口蓋７９に対する装着スライド方向の一方側、例えば左側には係合突起８０が底板部７６の裏側に向けて突設されている。開口蓋７９は、底板部７６上の薄肉部７９ａで取り囲まれた部分で、強く押圧して周囲の薄肉部７９ａを損壊させることにより底板部７６から容易に分離して円形その他の開口部を形成するようになっている。なお、例えば第１，第２裏ケース側封止装着部７３ａ，７４ａの上下両側には、嵌合壁６９，７０に設けられているものと同様の閉鎖係合手段５４が、裏カバー板７２の内面側に突設されている。
【００３１】
裏ケース側貼付部６５ａは、例えば裏蓋部６３ａの右側で且つ裏ケース側封止部６４ａの上側に一体に設けられており、主制御基板１３の電子部品装着面１３ａと略同じ向きに配置された例えば正面視略矩形状の裏ケース側貼付面（甲ケース側貼付面）８２ａと、この裏ケース側貼付面８２ａの外周に沿ってその裏面側に突設される上下左右の側壁部８３〜８６等を備えている。
【００３２】
裏ケース側貼付面８２ａは、表ケース側貼付部６５ｂ側の表ケース側貼付面（乙ケース側貼付面）８２ｂと共に１つのＩＣタグシール貼付面（封印シール貼付面）８２を構成するもので、閉鎖スライド方向の一方側、例えば左側の縁部が表ケース側貼付面８２ｂ側と連結する連結辺８７ａとなっており、主制御基板１３と略平行な平面部８８ａと非平面部８９ａとを備えている。非平面部８９ａは、図１２等に示すように、連結辺８７ａに沿って一定幅の範囲に設けられ、例えば平面部８８ａから後ろ向きに凹入する部分円筒面状に形成されている。なお、平面部８８ａと非平面部８９ａとは非平面部８９ａと逆向きの円筒面で滑らかに連結されている。また、上側壁部８３上には、シールカバー５０の一端側を保持するためのシールカバー係合部９１ａが突設されている。
【００３３】
固定ベース部６７は、例えば第１裏ケース側封止装着部７３ａに近い所定位置、例えば端部壁７５の一端側に一体に設けられており、連結部材５２の裏ケース側固定部６６ａを例えば熱カシメにより取り外し不能に固定できるようになっている。なお、固定部６６ａの固定には熱カシメ（熱溶着）以外の方法、例えば超音波溶着、高周波溶着等を用いてもよい（後述する固定部６６ｂ，６６ｃの固定についても同様）。
【００３４】
表ケース体４２は、主制御基板１３の電子部品装着面１３ａ側に対応するもので、図５〜図８に示すように、基板格納部６３を構成する表蓋部６３ｂ、封止部６４を構成する表ケース側封止部６４ｂ、ＩＣタグシール貼付部６５を構成する表ケース側貼付部６５ｂ、連結部材５２の表ケース側固定部６６ｂを固定するための固定ベース部９２、封止に使用される前の閉鎖封止部材４７を装着するための封止部材ホルダ９３等を備え、例えば透明な合成樹脂により一体形成されている。
【００３５】
表蓋部６３ｂは、主制御基板１３の外縁を取り囲む上下左右の周壁９４〜９７と、主制御基板１３の電子部品装着面１３ａに対向する上壁９８とを一体に備え、裏ケース体４１側が開放されて開口９９を形成している。
【００３６】
上壁９８は、その外周に沿って設けられた低壁部９８ａと、その低壁部９８ａの内側で外向き（前向き）に膨出する膨出部９８ｂとを備えている。低壁部９８ａ上には、主制御基板１３のコネクタ６１に対応して内向きに凹入する複数の凹部１００ａ〜１００ｃが設けられ、それら凹部１００ａ〜１００ｃにはコネクタ６１が嵌合するコネクタ嵌合孔１０１が夫々１又は複数設けられている。膨出部９８ｂは、主制御基板１３の電子部品装着面１３ａとの間に電子部品の収容空間を確保するためのもので、例えばＲＯＭ６２に対応する位置にはＲＯＭ６２を不正に交換する行為等を防止するための凹部１０２等が形成されている。
【００３７】
また、表蓋部６３ｂには、閉鎖ロック手段５３を構成する閉鎖被係合手段５５と、装着ロック手段５６を構成する装着被係合手段５８とが、例えばその上下の周壁９４，９５に沿って配置されている。即ち、図６，図８等に示すように、上下の周壁９４，９５の内側には夫々若干の隙間を挟んで内ガイド板９４ａ，９５ａ及び外ガイド板９４ｂ，９５ｂが上壁９８の裏側に向けて立設されており、内ガイド板９４ａ，９５ａと外ガイド板９４ｂ，９５ｂとの間の閉鎖ガイド溝１０３内に閉鎖被係合手段５５が、外ガイド板９４ｂ，９５ｂと周壁９４，９５との間の装着ガイド溝１０４内に装着被係合手段５８が、夫々設けられている。
【００３８】
閉鎖被係合手段５５は、裏ケース体４１側の嵌合壁６９，７０上に設けられた複数、例えば各４つの閉鎖係合手段５４に対応して閉鎖ガイド溝１０３内に複数、例えば各４つ設けられており、図６に示すように、裏ケース体４１と表ケース体４２とを互いに嵌め合わせたときに閉鎖係合手段５４の係合爪部５４ｂが嵌合する嵌合部５５ａと（閉鎖アンロック状態）、その状態から表ケース体４２を裏ケース体４１に対して閉鎖ガイド溝１０３に沿って所定の向き（ここでは右向きとする）に相対的にスライドさせることにより係合爪部５４ｂが係合する被係合部５５ｂと（閉鎖ロック状態）で構成されている。
【００３９】
また、装着被係合手段５８は、装着ガイド溝１０４内に複数、例えば各４つ設けられており、図７に示すように、主基板ケース４３を取付ベース３６に嵌め込んだときに装着係合手段５７の第１，第２係合爪部５７ｂ，５７ｃが嵌合する嵌合部５８ａと（装着アンロック状態）、その装着アンロック状態から主基板ケース４３を取付ベース３６に対して装着ガイド溝１０４に沿って一方側（ここでは右向きとする）に相対的にスライドさせることにより第１係合爪部５７ｂが係合する第１被係合部５８ｂと（装着ロック状態）、装着アンロック状態から主基板ケース４３を取付ベース３６に対して装着ガイド溝１０４に沿って他方側（ここでは左向きとする）に相対的にスライドさせることにより第２係合爪部５７ｃが係合する第２被係合部５８ｃと（装着ロック状態）で構成されている。
【００４０】
このような表蓋部６３ｂに対し、主制御基板１３は、コネクタ６１をコネクタ嵌合孔１０１に嵌合させつつ開口９９側から嵌め込まれ、電子部品装着面１３ａを凹部１００ａ〜１００ｃの内面側に当接させた状態でねじ止め等により着脱自在に固定される。
【００４１】
また、表蓋部６３ｂには、コネクタカバー４６が着脱自在に装着可能となっている。このコネクタカバー４６は、図３及び図５に示すように、主制御基板１３の複数のコネクタ６１のうち、例えば下側の凹部１００ｃ内に配置されるコネクタ６１ａを、これらに結合されたハーネス側コネクタ１０５と共に覆うもので、表蓋部６３ｂ側のケース側結束部１０６に対応するカバー側結束部１０７が一体に設けられており、これらケース側結束部１０６とカバー側結束部１０７とを結束バンド１０７ａ等により結束することにより表蓋部６３ｂに装着されている。これにより、結束バンド１０７ａを切断してコネクタカバー４６を取り外さない限り、ハーネス側コネクタ１０５をコネクタ６１ａから抜き取ることができず、コネクタ６１ａへの不正部品の接続等による不正行為を効果的に防止できる。
【００４２】
表ケース側封止部６４ｂは、裏ケース体４１側の裏ケース側封止部６４ａに対応して表蓋部６３ｂの例えば右側に一体に設けられており、図６，図８等に示すように、裏ケース側封止部６４ａ側の第１，第２裏ケース側封止装着部７３ａ，７４ａに対応する２つの第１，第２表ケース側封止装着部（乙ケース側封止装着部）７３ｂ，７４ｂと、これら第１，第２表ケース側封止装着部７３ｂ，７４ｂを夫々１又は複数、例えば４つの連結リブ１０８ａ〜１０８ｄを介して支持する封止支持フレーム１０９とを備えている。
【００４３】
第１，第２表ケース側封止装着部７３ｂ，７４ｂは、裏ケース側封止部６４ａ側の第１，第２裏ケース側封止装着部７３ａ，７４ａと共に夫々第１，第２封止装着部７３，７４を構成するもので、例えば四角形の筒状に形成されており、裏ケース体４１と表ケース体４２とが閉鎖ロック状態となったときに、第１，第２裏ケース側封止装着部７３ａ，７４ａに対して閉鎖スライド方向に対して直交する方向、即ち前後方向に合致して、第１，第２裏ケース側封止装着部７３ａ，７４ａと共に各１本の筒体を形成するように配置されている。
【００４４】
また、第２表ケース側封止装着部７４ｂには、第２裏ケース側封止装着部７４ａとは反対側の端部（以下、外側端部）を閉鎖する閉鎖蓋１１０が一体に設けられている。閉鎖蓋１１０は、その周囲が薄肉部１１０ａを介して第２表ケース側封止装着部７４ｂの外側端部に一体に設けられており、強く押圧して周囲の薄肉部１１０ａを損壊させることにより第２表ケース側封止装着部７４ｂから容易に分離し、それによって外側端部が開放されるようになっている。
【００４５】
封止支持フレーム１０９は、第１，第２表ケース側封止装着部７３ｂ，７４ｂの周囲を一定の隙間を介して取り囲む矩形枠状に形成され、表蓋部６３ｂの右周壁９７の外面側に一体に設けられており、各４つの連結リブ１０８ａ〜１０８ｄにより第１，第２表ケース側封止装着部７３ｂ，７４ｂが一体に連結されている。また、封止支持フレーム１０９上には、裏ケース側封止部６４ａに設けられた閉鎖係合手段５４に対応して、例えばその上下両端側に閉鎖ガイド溝１０３内と同様の閉鎖被係合手段５５が設けられている。
【００４６】
表ケース側貼付部６５ｂは、例えば表蓋部６３ｂの右側で且つ表ケース側封止部６４ｂの上側に一体に設けられており、主制御基板１３の電子部品装着面１３ａと略同じ向きに配置された例えば正面視略矩形状の表ケース側貼付面（乙ケース側貼付面）８２ｂと、例えば上周壁９４の内側の内ガイド板９４ａから閉鎖スライド方向に延設された上側壁部１１１等を備えており、裏ケース体４１と表ケース体４２とが嵌め合わされて閉鎖ロック状態となったとき、表ケース側貼付面８２ｂが裏ケース側貼付部６５ａ側の裏ケース側貼付面８２ａと閉鎖スライド方向に連結して１つのＩＣタグシール貼付面８２を形成し、また上側壁部１１１が裏ケース側貼付部６５ａ側の上側壁部８３と連結するようになっている。
【００４７】
表ケース側貼付面８２ｂは、裏ケース側貼付面８２ａと同様、主制御基板１３と略平行な平面部８８ｂと非平面部８９ｂとを備え、その右側の縁部が、裏ケース側貼付面８２ａ側と連結する連結辺８７ｂとなっており、図１２等に示すように、非平面部８９ｂは連結辺８７ｂに沿って一定幅の範囲に設けられ、例えば平面部８８ｂから後ろ向きに凹入する部分円筒面状に形成されている。このように、裏ケース側貼付面８２ａと表ケース側貼付面８２ｂとは互いに閉鎖スライド方向に対称（左右対称）な形状に形成されている。
【００４８】
即ち、図１２（ｂ）に示すように、裏ケース体４１と表ケース体４２とが閉鎖ロック状態となったときに裏ケース側貼付面８２ａと表ケース側貼付面８２ｂとが連結されて形成されるＩＣタグシール貼付面８２は、主制御基板１３における電子部品装着面１３ａと略同じ向きとなるように配置されると共に、裏ケース側貼付面８２ａと表ケース側貼付面８２ｂとの境界を挟んでその両側一定幅の範囲に、非平面部８９ａ，８９ｂが連結された屈曲部８９が設けられ、その屈曲部８９は、後ろ向きに凹入する部分円筒面状に形成されると共に、その両側の平面部８８ａ，８８ｂに対して滑らかに連結され、その上に貼付されるＩＣタグシール４５を屈曲状に案内するようになっている。
【００４９】
また、閉鎖ロック状態で裏ケース側貼付面８２ａと表ケース側貼付面８２ｂとが連結されたとき、互いに対向する連結辺８７ａ，８７ｂ間には、上側壁部８３，１１１間に跨るように一定の隙間１１８が形成されるようになっている。
【００５０】
また、上側壁部１１１上には、裏ケース側貼付部６５ａ側のシールカバー係合部９１ａに対応するシールカバー係合部９１ｂが突設されており、裏ケース体４１と表ケース体４２とが嵌め合わされて閉鎖ロック状態となったとき、図１１（ｂ）に示すようにシールカバー係合部９１ａとシールカバー係合部９１ｂとが閉鎖スライド方向に一定の隙間を挟んで近接するようになっている。なお、シールカバー係合部９１ａ，９１ｂは、例えば主基板ケース４３の裏側に向けて開放する断面略Ｃ字状に形成されている。
【００５１】
また、表ケース側貼付面８２ｂを挟んでシールカバー係合部９１ｂの反対側には、図６，図８等に示すように、シールカバー５０を主基板ケース４３に封止するための被結合部１１２が配置されている。この被結合部１１２は、表ケース側貼付面８２ｂ側の平面部８８ｂと同一の平面上に形成される結合ベース板１１３上に形成されている。なお、この結合ベース板１１３は、例えば封止支持フレーム１０９に一体に形成されている。
【００５２】
被結合部１１２は、例えば閉鎖スライド方向に設けられた１つの挿通スリット１１４と、この挿通スリット１１４の両側に平行に配置された一対の逃げ用スリット１１５と、それら挿通スリット１１４と逃げ用スリット１１５との間に形成された一対の弾性係合部１１６とを備えている。
【００５３】
なお、ＩＣタグシール貼付面８２及び被結合部１１２の外周には、例えばシールカバー係合部９１ａ，９１ｂに対応するＩＣタグシール貼付面８２の上縁側を除き、一定高さの囲い壁１１７が突設されている。この囲い壁１１７は、その配置位置に応じて裏ケース体４１側又は表ケース体４２側に一体に形成されている。
【００５４】
固定ベース部９２は、第１表ケース側封止装着部７３ｂの近傍、例えば下側に配置され、封止支持フレーム１０９に一体に形成されており、連結部材５２の表ケース側固定部６６ｂを例えば熱カシメにより取り外し不能に固定できるようになっている。なお、裏ケース体４１側の固定ベース部６７とこの固定ベース部９２とは夫々主基板ケース４３の裏側と表側とに配置されているが、例えばこれら固定ベース部６７，９２は少なくとも上下方向位置（閉鎖スライド方向に対して直交する方向の位置）については、図８に示すように互いに略一致している。
【００５５】
封止部材ホルダ９３は、例えば固定ベース部９２に対して第１表ケース側封止装着部７３ｂの反対側、即ち固定ベース部９２の下側に配置され、例えば表蓋部６３ｂの右周壁９７から閉鎖スライド方向に突設される上下一対の保持片９３ａ等により構成されている。
【００５６】
閉鎖封止部材４７は、主基板ケース４３等とは別体に形成され、例えば１つの主基板ケース４３に対して１個設けられており、図６，図８等に示すように、挿通軸部１２１と、この挿通軸部１２１の挿入方向後端側に設けられた鍔部１２２と、挿通軸部１２１上に設けられた抜け止め係合爪１２３と、挿通軸部１２１の挿入方向後端側に設けられた固定ベース部１２４とを一体に備えている。
【００５７】
挿通軸部１２１は、主基板ケース４３が閉鎖ロック状態のときに第１表ケース側封止装着部７３ｂと第１裏ケース側封止装着部７３ａとに跨るように第１封止装着部７３内に挿通されて閉鎖アンロック状態側へのスライドを阻止するもので、第１封止装着部７３の内側に略隙間なく挿通可能な形状、例えば四角形の筒状に形成されており、その軸方向長さは第１封止装着部７３の内部長さと略一致している。また、挿通軸部１２１の外周面上には、第１封止装着部７３の内面側に形成された溝１２５に対応して軸方向の突条１２６が設けられており、この突条１２６を溝１２５に嵌合させた状態でなければ挿通軸部１２１が第１封止装着部７３に挿通不可能とすることで第１封止装着部７３に装着する際の閉鎖封止部材４７の方向が規定されている。
【００５８】
鍔部１２２は、例えば筒状に形成された挿通軸部１２１の後端側を閉鎖すると共に、その外縁側が挿通軸部１２１の外周面よりも外側に鍔状に突出しており、挿通軸部１２１を第１封止装着部７３内に挿通させたとき、第１表ケース側封止装着部７３ｂの外側端部に略当接して挿入方向への移動を所定位置で規制するようになっている。
【００５９】
抜け止め係合爪１２３は、第１封止装着部７３に挿通された挿通軸部１２１の抜けを阻止するもので、例えば挿通軸部１２１の外周側に１又は複数、例えば２つ設けられている。この抜け止め係合爪１２３は、挿通軸部１２１の外周面よりも外側に突出する突出状態と突出しない退避状態とに切り換え可能で且つ突出状態側に弾性付勢され、挿通軸部１２１が第１封止装着部７３に挿通されたときに第１表ケース側封止装着部７３ｂの例えば裏側端部に係合するように、挿通軸部１２１の軸方向中間位置に配置されている。
【００６０】
固定ベース部１２４は、例えば鍔部１２２の外面側に設けられており、連結部材５２の封止部材側固定部６６ｃを例えば熱カシメにより取り外し不能に固定できるようになっている。
【００６１】
装着封止部材４８は、主基板ケース４３、閉鎖封止部材４７等とは別体に形成され、例えば１つの主基板ケース４３に対して１個設けられており、図６等に示すように、挿入本体部１２７と、この挿入本体部１２７の挿入方向先端側に設けられた突起部１２８とを一体に備えている。
【００６２】
挿入本体部１２７は、突起部１２８を貫通孔７８から外側に突出させた状態で保持すべく第２封止装着部７４内に挿入されるもので、第２封止装着部７４の内側に略隙間なく収容可能な形状、例えば四角形の筒状に形成されており、その軸方向長さは例えば第２裏ケース側封止装着部７４ａの内部長さと略一致している。また、挿入本体部１２７の外周面上にも、閉鎖封止部材４７と同様、第２封止装着部７４の内面側に形成された溝１２５に対応して軸方向の突条１２６が設けられている。なお、第２表ケース側封止装着部７４ｂ側の閉鎖蓋１１０には、図１０，図１６等に示すようにその内面側に押さえリブ１２９が突設されており、主基板ケース４３が閉鎖ロック状態のときにその押さえリブ１２９が挿入本体部１２７の挿入方向後端側に略当接することにより、装着封止部材４８の第２封止装着部７４内での軸方向移動が規制されるようになっている。
【００６３】
突起部１２８は、挿入本体部１２７の挿入方向先端側の略中央から軸方向に突出しており、装着封止部材４８が第２封止装着部７４内に装着されたとき、図７等に示すように貫通孔７８を介して裏ケース体４１の裏側に突出するようになっている。また、突起部１２８の先端部は装着スライド方向のロック側（右側）からアンロック側（左側）に向けて徐々に突出量が大きくなる傾斜状に形成されている。なお、突起部１２８は貫通孔７８の形状に対応して例えば装着スライド方向に沿った板状に形成され、例えば挿入本体部１２７内に軸方向に配置された補強リブ等を介して挿入本体部１２７に一体に設けられている。
【００６４】
連結部材５２は、裏ケース体４１、表ケース体４２、閉鎖封止部材４７の三者を連結するもので、図８に示すように、裏ケース体４１側の固定ベース部６７に着脱不能に固定される裏ケース側固定部６６ａと、表ケース体４２側の固定ベース部９２に着脱不能に固定される表ケース側固定部６６ｂと、閉鎖封止部材４７側の固定ベース部１２４に着脱不能に固定される封止部材側固定部６６ｃと、裏ケース側固定部６６ａと表ケース側固定部６６ｂとの間を連結する第１連結バンド部１３１と、表ケース側固定部６６ｂと封止部材側固定部６６ｃとの間を連結する第２連結バンド部１３２とを備え、例えば可撓性を持たせたポリエチレン等、ある程度の柔軟性を有する合成樹脂により一体成形されている。
【００６５】
ここで、裏ケース側固定部６６ａ、表ケース側固定部６６ｂ及び第１連結バンド部１３１が、裏ケース体４１と表ケース体４２とを開閉可能な状態で連結する第１連結手段４９ａを構成し、表ケース側固定部６６ｂ、封止部材側固定部６６ｃ及び第２連結バンド部１３２が、表ケース体４２と閉鎖封止部材４７とを封止操作可能な状態で連結する第２連結手段４９ｂを構成している。
【００６６】
第１，第２連結バンド部１３１，１３２は、例えば十分な可撓性を有する細長平板状に形成されており、第１連結バンド部１３１については裏ケース体４１と表ケース体４２とを通常の手順で開閉する際に支障がない範囲で、また第２連結バンド部１３２については閉鎖封止部材４７を封止部材ホルダ９３から外して第１封止装着部７３に挿入する際に支障がない範囲で、夫々なるべく短く形成されている。
【００６７】
シールカバー５０は、図９等に示すように、本体部１４１と、この本体部１４１の一端側に設けられる被係合部１４２と、本体部１４１の他端側に設けられる結合ピン１４３及び連動被係合部１４９とを備え、例えば透明な合成樹脂により一体に形成されている。
【００６８】
本体部１４１は、ＩＣタグシール貼付面８２に対応するシールカバー部１４１ａと、被結合部１１２に対応する封止カバー部１４１ｂとで構成されている。シールカバー部１４１ａは、ＩＣタグシール貼付面８２に沿う板状に形成されたシールカバー板１４４と、このシールカバー板１４４の外縁部等から裏面１４４ｂ側に突設される補強リブ１４５とを一体に備えている。シールカバー板１４４は、ＩＣタグシール貼付面８２の略全体を覆う正面視略矩形状に形成されると共に、その表面１４４ａがＩＣタグシール貼付面８２上に貼付されたＩＣタグシール４５の表面全体に略密着するように、ＩＣタグシール貼付面８２の平面部８８ａ，８８ｂ及び屈曲部８９に沿う三次元形状に形成されている。なお、補強リブ１４５は、ＩＣタグシール４５上の識別情報の表示位置を避けて設けることが望ましい。
【００６９】
封止カバー部１４１ｂは、表ケース体４２側の被結合部１１２に沿う板状に形成された封止カバー板１４６と、この封止カバー板１４６の外縁部等から裏面１４６ｂ側に突設される補強リブ１４７とを備え、シールカバー部１４１ａと一体に形成されている。封止カバー板１４６は、被結合部１１２の略全体を覆う正面視略矩形状に形成されている。また、本体部１４１の外縁側には、主基板ケース４３側の囲い壁１１７の端縁に覆い被さるように外向きに張り出す一定幅の張り出し部１４０が一体に設けられている。
【００７０】
被係合部１４２は、シールカバー５０の一端側を主基板ケース４３に係合させるためのもので、主基板ケース４３側のシールカバー係合部９１ａ，９１ｂに対応して例えば主基板ケース４３の閉鎖スライド方向、即ち左右方向に配置されるヒンジピン１４２ａと、このヒンジピン１４２ａをその両端側で支持する一対の支持部１４２ｂとで構成されており、図１４に示すようにヒンジピン１４２ａがシールカバー係合部９１ａ，９１ｂに対して主基板ケース４３の裏側から着脱自在に嵌め込まれ、その軸廻りに回転自在に保持されるようになっている。
【００７１】
このように、シールカバー５０は、シールカバー部１４１ａによりＩＣタグシール４５の表面を略覆う「被覆状態」と、シールカバー部１４１ａがＩＣタグシール４５の表面から離間する「開放状態」との間でヒンジピン１４２ａの軸廻りに揺動可能な状態で主基板ケース４３に装着される。
【００７２】
結合ピン１４３は、主基板ケース４３側の被結合部１１２と共にシールカバー５０を主基板ケース４３に装着した状態で封止するシールカバー封止手段を構成するもので、被結合部１１２に対応して封止カバー板１４６に形成された開口部１５０内に一定の隙間を介して配置され、その隙間を横切るように配置される複数、例えば２つの連結リブ１４８ａ，１４８ｂにより封止カバー板１４６に一体に連結されている。この結合ピン１４３は、封止カバー板１４６の表面１４６ａ側に向けて突設される軸部１４３ａと、この軸部１４３ａの先端側に設けられ且つその軸部１４３ａの幅方向に張り出す断面台形状の結合部１４３ｂとで構成され、軸部１４３ａの後端側が連結リブ１４８ａ，１４８ｂにより封止カバー板１４６に連結されており、ヒンジピン１４２ａがシールカバー係合部９１ａ，９１ｂに係合された状態でシールカバー部１４１ａがＩＣタグシール貼付面８２上のＩＣタグシール４５の表面に略密着されたとき、被結合部１１２の挿通スリット１１４を貫通してその裏側に離脱不能に係合するようになっている（図１４（ｂ））。
【００７３】
連動被係合部１４９は、シールカッター５１側の連動係合部１７１と共に、シールカッター５１と当該シールカバー５０とを連動させる連動手段１７２を構成するもので、例えばシールカバー部１４１ａ上で且つ被係合部１４２と反対側、即ち結合ピン１４３側の例えば側面に一体に突設されている。
【００７４】
シールカッター５１は、図９等に示すように、細長板状の本体部１７３と、この本体部１７３の一端側に配置される揺動軸受部１７４と、本体部１７３の他端側に配置される連動係合部１７１とを一体に備えている。本体部１７３には、その片側の縁部に沿って断面鋭角状の刃先処理が施された切断刃１７３ａが一体に設けられており、裏ケース側貼付面８２ａと表ケース側貼付面８２ｂとの間の隙間１１８内に収容可能となっている。なお、シールカッター５１は、隙間１１８内に装着されたとき、図１５等に示すように、例えば裏蓋部６３ａの底壁６８に立設された支持リブ１１９により、切断刃１７３ａの刃先がＩＣタグシール貼付面８２と略一致する位置で保持されるようになっている。
【００７５】
揺動軸受部１７４は、例えばシールカバー係合部９１ａ，９１ｂと同じ断面略Ｃ字状に形成されており、本体部１７３を隙間１１８内に収容したとき、シールカバー係合部９１ａ，９１ｂ間に配置され、シールカバー５０が主基板ケース４３に装着される際にはシールカバー係合部９１ａ，９１ｂと共にシールカバー５０側のヒンジピン１４２ａを回転自在に保持するようになっている。これにより、シールカッター５１は、その切断刃１７３ａの刃先がＩＣタグシール貼付面８２と略一致する「退避状態」と、刃先がＩＣタグシール貼付面８２の外側に突出する「切断状態」との間でヒンジピン１４２ａの軸廻りに回転自在となり、シールカバー５０とシールカッター５１とは同一回転軸廻りに揺動可能な状態となる。
【００７６】
また、連動係合部１７１は、本体部１７３の一端側から切断刃１７３ａ側、即ちＩＣタグシール貼付面８２の外側に向けて突出しており、シールカバー５０が被覆状態となって主基板ケース４３に封止されたとき、ＩＣタグシール貼付面８２上に貼付されたＩＣタグシール４５の外側でシールカバー５０側の連動被係合部１４９に係合するようになっている（図１４（ｂ））。これにより、シールカッター５１とシールカバー５０とは、シールカッター５１の退避／切断状態とシールカバー５０の被覆／開放状態とが夫々対応するように同一回転軸廻りに一体的に揺動可能な連動状態となる。
【００７７】
取付ベース３６は、図５，図７等に示すように、主基板ケース４３の裏面に対応する略矩形状に形成されたベース板１５１と、主基板ケース４３の装着ガイド溝１０４に対応してベース板１５１の上下両縁に沿って前向き突出状に設けられる装着レール板１５２，１５３と、ベース板１５１の装着スライド方向の一方側（ここでは右側）の縁部に沿って前向き突出状に設けられるスライド規制板１５４と、上下の装着レール板１５２，１５３の外側に夫々前向き突出状に設けられる仮固定フック１５５，１５６とを一体に備えており、ベース板１５１に設けられた複数の固定孔１５１ａにおいて本体ケース２の背板７の内面側にねじ止め固定されている。なお、取付ベース３６に主基板ケース４３を装着した状態ではその主基板ケース４３によって固定孔１５１ａ及び固定ねじ（図示省略）が覆われてしまうため、本体ケース２から取付ベース３６ごと主基板ケース４３を取り外すことはできない。
【００７８】
装着レール板１５２，１５３には、装着ロック手段５６を構成する装着係合手段５７が長手方向に沿って夫々１又は複数、例えば主基板ケース４３側の装着被係合手段５８に対応して４つずつ設けられている。この装着係合手段５７は、図７に示すように、装着レール板１５２，１５３の縁部から主基板ケース４３側（前側）に向けて突出する係合脚部５７ａと、この係合脚部５７ａの先端側から装着レール板１５２，１５３の長手方向に沿って装着スライド方向の一方側、例えば左側に突出する第１係合爪部５７ｂと、同じく係合脚部５７ａの先端側から装着スライド方向の他方側、例えば右側に突出する第２係合爪部５７ｃとで略Ｔ字型に形成されており、主基板ケース４３が取付ベース３６に嵌め込まれて装着アンロック状態となったときに装着係合手段５７の第１，第２係合爪部５７ｂ，５７ｃが装着被係合手段５８の嵌合部５８ａに嵌合し、その状態から主基板ケース４３を取付ベース３６に対して右向きに相対的にスライドさせることにより第１係合爪部５７ｂが装着被係合手段５８の第１被係合部５８ｂに係合して第１装着ロック状態となり、又は装着アンロック状態から主基板ケース４３を取付ベース３６に対して左向きに相対的にスライドさせることにより第２係合爪部５７ｃが装着被係合手段５８の第２被係合部５８ｃに係合して第２装着ロック状態となるように構成されている。
【００７９】
また、ベース板１５１上には、２組の第１，第２装着封止係合爪１５７，１５８が設けられている。第１装着封止係合爪１５７は、第１装着ロック状態での封止に用いられるもので、装着封止部材４８の突起部１２８に対応して設けられており、例えばベース板１５１上に装着スライド方向に沿って形成された第１凹入部１５９内に設けられている。この第１装着封止係合爪１５７は、装着封止部材４８の突起部１２８に係合可能な係合位置と係合しない退避位置とに切り換え可能で且つ係合位置側に弾性付勢され、装着スライド方向に沿ってその第１装着ロック側（右端側）が係合面１６０ａ、前面側が傾斜状の案内面１６０ｂとなっており、主基板ケース４３が取付ベース３６に対して装着アンロック状態から第１装着ロック状態となるまで右向きにスライドされたとき、係合面１６０ａが装着封止部材４８の突起部１２８の左側に係合して装着アンロック状態側（左側）へのスライドを規制するようになっている。
【００８０】
また、第２装着封止係合爪１５８は、第２装着ロック状態での封止に用いられるもので、裏ケース体４１側の係合突起８０に対応して設けられており、例えばベース板１５１上に装着スライド方向に沿って形成された第２凹入部１６１内に設けられている。この第２装着封止係合爪１５８は、第１装着封止係合爪１５７と同様の形状に形成されているが、第１装着封止係合爪１５７とは左右逆に配置されており、主基板ケース４３が取付ベース３６に対して装着アンロック状態から第２装着ロック状態となるまで左向きにスライドされたとき、係合面１６０ａが裏ケース体４１側の係合突起８０の右側に係合して装着アンロック状態側（右側）へのスライドを規制するようになっている。
【００８１】
なお、第１，第２装着封止係合爪１５７，１５８の両側には、第１，第２装着ロック状態のときに嵌合鍔部７７が夫々嵌合してベース板１５１から離間する方向への移動を規制する第１，第２装着嵌合溝１６２，１６３が設けられている。
【００８２】
更に、ベース板１５１の前面側には、図７等に示すように主基板ケース４３の装着アンロック状態から第２装着ロック状態側への移動を規制する例えば突起状のスライド規制部１６４が設けられている。主基板ケース４３側には、例えば裏ケース体４１の裏側にこのスライド規制部１６４に対応する突起部１６５が一体に設けられており、主基板ケース４３が取付ベース３６に装着されて装着アンロック状態となったとき、突起部１６５がスライド規制部１６４の右側に係合して第２装着ロック状態側へのスライドが規制されるようになっている。なお、突起部１６５はニッパー等により容易に除去可能となっており、この突起部１６５を除去することにより装着アンロック状態から第２装着ロック状態側へのスライドが可能となる。
【００８３】
仮固定フック１５５，１５６は、取付ベース３６に装着された主基板ケース４３を装着アンロック状態で仮固定するためのもので、例えば取付ベース３６の上下に１又は複数組、例えば１組設けられており、主基板ケース４３の側面、例えば上周壁９４及び下周壁９５に沿ってその前縁側に係脱自在に係合して主基板ケース４３を保持するようになっている。
【００８４】
また、主基板ケース４３側には、図６等に示すように例えば表ケース体４２上にこれら仮固定フック１５５、１５６の少なくとも一方、例えば下側の仮固定フック１５６に対応する位置決めリブ１６６が一体に設けられている。この位置決めリブ１６６は、主基板ケース４３が取付ベース３６に装着されて装着アンロック状態となったときに仮固定フック１５６に対して装着スライド方向の一方側、例えば第１装着ロック側（右側）に略当接する位置に配置されており、この位置決めリブ１６６を仮固定フック１５６の右側に沿わせながら主基板ケース４３を取付ベース３６に装着すれば容易に装着アンロック状態に位置決めできる。なお、主基板ケース４３を装着アンロック状態から第１装着ロック状態側にスライドさせる際には仮固定フック１５６を弾性変形させて位置決めリブ１６６への係合を一時的に解除すればよい。
【００８５】
以上のような主基板ケース４３を本体ケース２内に装着する際には、まず主制御基板１３を格納した状態で主基板ケース４３を封止すると共にその主基板ケース４３にシールカッター５１を装着した上でＩＣタグシール４５を貼付してシールカバー５０を装着し、更にその状態の主基板ケース４３を、予め本体ケース２内の背板７に固定された取付ベース３６に対して装着・封止するという手順で行う。以下、図１０〜図２０を参照しつつ、その装着・封止手順及びその後の開封手順を簡単に説明する。
【００８６】
（Ａ１）主基板ケース４３への主制御基板１３の装着
まず、主制御基板１３を主基板ケース４３に装着するが、その前段階として、主基板ケースユニット１４を構成する裏ケース体４１、表ケース体４２、閉鎖封止部材４７、装着封止部材４８、連結部材５２を１組用意すると共に、裏ケース体４１、表ケース体４２及び閉鎖封止部材４７を連結部材５２により上述した方法で互いに連結しておく。
【００８７】
なお、装着封止部材４８を第２裏ケース側封止装着部７４ａ内に挿入した状態で裏ケース体４１と表ケース体４２とを嵌め合わせ、互いにスライドさせて閉鎖ロック状態とし、閉鎖封止部材４７を封止部材ホルダ９３に装着すれば、未封止の主基板ケース４３を一体として容易に搬送できる。このとき、装着封止部材４８は第２封止装着部７４内に格納されており、また閉鎖封止部材４７は連結部材５２により主基板ケース４３に連結されているため、何れも脱落して紛失する心配はない。
【００８８】
主制御基板１３を装着する際には、例えば上記のように未封止の状態で仮組みされていた主基板ケース４３の裏ケース体４１と表ケース体４２とを装着アンロック状態側にスライドさせて開放し、表ケース体４２の内側に電子部品装着面１３ａが上壁９８側に向くように主制御基板１３を装着し、ねじ止めにより固定する。
【００８９】
（Ａ２）主基板ケース４３の閉鎖・封止
表ケース体４２に主制御基板１３を装着すると、その表ケース体４２を、第２裏ケース側封止装着部７４ａ内に装着封止部材４８が挿入された状態の裏ケース体４１に対して前側から嵌め合わせて閉鎖アンロック状態とする（図１０（ａ））。
【００９０】
このとき、裏ケース体４１側の第１，第２裏ケース側封止装着部７３ａ，７４ａと表ケース体４２側の第１，第２表ケース側封止装着部７３ｂ，７４ｂとは互いの軸が閉鎖スライド方向にずれた状態となっている。また、裏ケース側貼付面８２ａと表ケース側貼付面８２ｂとについても閉鎖スライド方向に離間した状態となっている（図１１（ａ），図１２（ａ））。
【００９１】
続いて、表ケース体４２を裏ケース体４１に対して右向きにスライドさせる。これにより、裏ケース体４１側の閉鎖係合手段５４が表ケース体４２側の被係合部５５ｂに係合し、主基板ケース４３は閉鎖ロック状態になると共に、裏ケース体４１側の第１，第２裏ケース側封止装着部７３ａ，７４ａと表ケース体４２側の第１，第２表ケース側封止装着部７３ｂ，７４ｂとが閉鎖スライド方向に対して直交する前後方向に互いに合致した状態となる（図１０（ｂ））。
【００９２】
なおこのとき、第２表ケース側封止装着部７４ｂ側の押さえリブ１２９が第２裏ケース側封止装着部７４ａ内の装着封止部材４８の挿入方向後端側に略当接するため、装着封止部材４８はその先端側の突起部１２８を貫通孔７８から裏側に突出させた状態で固定された状態となる。
【００９３】
また、裏ケース側貼付面８２ａと表ケース側貼付面８２ｂとが連結されて１つのＩＣタグシール貼付面８２が形成される（図１１（ｂ），図１２（ｂ））。なお、裏ケース側貼付面８２ａと表ケース側貼付面８２ｂとは、共に主制御基板１３における電子部品装着面１３ａと同じ向きで互いにスライド方向に隣接しているため、それらが結合して形成されるＩＣタグシール貼付面８２はその全体が主制御基板１３における電子部品装着面１３ａと同じ前側を向いている。
【００９４】
続いて、閉鎖封止部材４７を封止部材ホルダ９３から取り外して第１封止装着部７３に挿入し、抜け止め係合爪１２３を第１表ケース側封止装着部７３ｂの裏側端部に係合させる（図１０（ｃ））。これにより、第１裏ケース側封止装着部７３ａと第１表ケース側封止装着部７３ｂとは閉鎖スライド方向に相対移動不可能となるため、裏ケース体４１と表ケース体４２とは閉鎖ロック状態で規制される。しかも抜け止め係合爪１２３は第１裏ケース側封止装着部７３ａによって覆われた状態となるため（図１７参照）、外部から抜け止め係合爪１２３の係合を解除して閉鎖封止部材４７を抜き取ることはできず、従って主基板ケース４３は閉鎖アンロック状態側へのスライドが解除不能に阻止された閉鎖封止状態となる。なお、この状態で更にねじ止め等により裏ケース体４１と表ケース体４２とを固定してもよい。
【００９５】
（Ａ３）ＩＣタグシール４５の貼付及びシールカッター５１，シールカバー５０の装着
続いて、主基板ケース４３にシールカッター５１を装着し（図１３（ａ））、ＩＣタグシール貼付面８２上にＩＣタグシール４５を貼付した後（図１３（ｂ））、そのＩＣタグシール４５の表面を覆うようにシールカバー５０を装着する（図１４）。
【００９６】
即ち、ますシールカッター５１を、切断刃１７３ａが外向きとなるように裏ケース側貼付面８２ａと表ケース側貼付面８２ｂとの間の隙間１１８内に収容する（図１３（ａ））。これにより、シールカッター５１は切断刃１７３ａの刃先がＩＣタグシール貼付面８２と略一致する位置で保持される。
【００９７】
そして、そのシールカッター５１の外側から、ＩＣタグシール貼付面８２上にＩＣタグシール４５を貼付する（図１３（ｂ））。このとき、図１１（ｂ）に想像線で示すように、シールカッター５１はＩＣタグシール４５の略中央に配置されるＩＣチップ４５ｂと交差した状態となる。
【００９８】
その後、シールカバー５０の一端側のヒンジピン１４２ａを主基板ケース４３の裏側からシールカバー係合部９１ａ，９１ｂ及びそれらの間の揺動軸受部１７４に係合させ、その軸廻りに揺動させつつ他端側の結合ピン１４３を被結合部１１２の挿通スリット１１４に貫通させる（図１４（ａ）→（ｂ））。これにより、結合ピン１４３は弾性係合部１１６の裏側に係合し、またその結合部分は封止カバー部１４１ｂにより外側から覆われるため、シールカバー５０は主基板ケース４３に対して離脱不能に結合した状態となる。
【００９９】
また、それと同時に、シールカッター５１側の連動係合部１７１がシールカバー５０側の連動被係合部１４９に係合し、シールカッター５１とシールカバー５０とは、ＩＣタグシール４５をその両面側から挟んだ状態でヒンジピン１４２ａの軸廻りに一体的に揺動可能な連動状態となる。
【０１００】
このとき、図１５に示すように、シールカバー部１４１ａがＩＣタグシール貼付面８２上のＩＣタグシール４５の表面に略密着された状態となり（被覆状態）、ＩＣタグシール４５の剥がれ等を防止できる。しかも、ＩＣタグシール貼付面８２には屈曲部８９が設けられており、シールカバー５０もその屈曲部８９に沿う形状に形成されているため、例えばカッターナイフ等、薄板状の刃物等をＩＣタグシール４５とＩＣタグシール貼付面８２との間の粘着層に挿入してＩＣタグシール４５をきれいに剥がし取ることは困難となる。
【０１０１】
更に、シールカバー５０は、主基板ケース４３側の被結合部１１２とシールカバー５０側の結合ピン１４３とで構成されるシールカバー封止手段により主基板ケース４３に封止されているため、痕跡を残すことなく主基板ケース４３からシールカバー５０を取り外すことはできず、ＩＣタグシール４５を不正に剥がし取る行為を効果的に防止できると共に、仮にそのような不正行為が行われた場合には発見が容易である。
【０１０２】
なお、シールカバー５０はその全体が透明に形成されているため、シールカバー５０を装着した状態でもＩＣタグシール４５の表面に記載された識別番号等を問題なく読み取ることができる。
【０１０３】
また、シールカバー５０の被係合部１４２は、図７等に示すように裏ケース体４１側のシールカバー係合部９１ａと表ケース体４２側のシールカバー係合部９１ｂとに係合し、それらが離間する方向へのスライドを規制しているため、シールカバー５０の主基板ケース４３への封止を解除してシールカバー５０を取り外さなければ主基板ケース４３を開放することはできない。即ち、シールカバー５０は、閉鎖封止部材４７とは別の閉鎖封止手段としての機能も有している。
【０１０４】
ここで、例えば以上のように封止された状態の主基板ケース４３を複数用意し、夫々の主基板ケース４３から開封の痕跡のない状態のシールカバー５０、裏ケース体４１、表ケース体４２、閉鎖封止部材４７等を夫々取り出すことに成功したとしても、裏ケース体４１、表ケース体４２及び閉鎖封止部材４７は連結部材５２（第１連結手段４９ａ及び第２連結手段４９ｂ）により互いに連結されているため、それらを組み合わせて新たな主基板ケース４３を作り出すためには連結部材５２を切断する必要がある。即ち、複数の主基板ケース４３から取り出した裏ケース体４１、表ケース体４２、閉鎖封止部材４７等を組み合わせて新たな主基板ケース４３を作り出したとしても、連結部材５２で連結された状態までも再現することはできず、そのような不正行為を効果的に防止できる。
【０１０５】
（Ａ４）主基板ケース４３の取付ベース３６への装着・封止
次に、閉鎖封止状態の主基板ケース４３を、予め本体ケース２内の背板７に固定された取付ベース３６に前側から嵌め込み、取付ベース３６側の装着係合手段５７を、表ケース体４２側の装着ガイド溝１０４内の嵌合部５８ａに夫々嵌合させて装着アンロック状態とし、上下の仮固定フック１５５、１５６により仮固定する。このとき、主基板ケース４３側の位置決めリブ１６６を仮固定フック１５６の右側に沿わせつつ嵌め込めば、装着アンロック状態に容易に位置決めできる。また、この装着アンロック状態では、主基板ケース４３の裏側の突起部１６５が取付ベース３６側のスライド規制部１６４の右側に係合しているため、そのままでは主基板ケース４３を第２装着ロック状態側（左側）にスライドさせることはできない。
【０１０６】
続いて、仮固定フック１５６を弾性変形させて位置決めリブ１６６への係合を一時的に解除した上で、主基板ケース４３を取付ベース３６に対して右向きにスライドさせる（図１６（ａ）→（ｂ））。これにより、取付ベース３６側の装着係合手段５７が表ケース体４２側の装着被係合手段５８に係合し、主基板ケース４３は取付ベース３６に対して第１装着ロック状態となる。このとき、主基板ケース４３側の突起部１２８が第１装着封止係合爪１５７に係合し、装着アンロック状態側へのスライドが規制される。しかも、外部から第１装着封止係合爪１５７の係合を解除することはできず、従って主基板ケース４３は取付ベース３６に対して装着アンロック状態側へのスライドが解除不能に阻止された装着封止状態となる。
【０１０７】
なお、コネクタカバー４６は、主基板ケース４３を取付ベース３６に装着し、主基板ケース４３側のコネクタ６１ａにハーネス側コネクタ１０５を接続した後に装着すればよい。
【０１０８】
（Ｂ１）主基板ケース４３の取り外し
以上のような手順で本体ケース２内に装着された主基板ケース４３を検査等のために開封する場合には、まずコネクタカバー４６を取り外してコネクタ６１ａからハーネス側コネクタ１０５を抜き取る。そして、ドライバー等の工具を用いて閉鎖蓋１１０を突き破り、閉鎖蓋１１０を除去して第２封止装着部７４の端部を開放し、その中から装着封止部材４８を抜き取る（図１８）。これにより、第１装着封止係合爪１５７に係合していた突起部１２８がなくなって装着封止状態が解除されるため、仮固定フック１５６を弾性変形させて位置決めリブ１６６への係合を一時的に解除させた上で、主基板ケース４３を取付ベース３６に対して装着アンロック状態側にスライドさせることにより取付ベース３６から取り外すことができる。
【０１０９】
（Ｂ２）シールカバー５０の取り外し
続いて、取付ベース３６から取り外した主基板ケース４３からシールカバー５０を取り外す。即ち、シールカバー５０の連結リブ１４８ａ，１４８ｂをニッパー等で切断して結合ピン１４３を切り離し、シールカバー５０をヒンジピン１４２ａの軸廻りに持ち上げ
（図１９）、主基板ケース４３から取り外す。このとき、シールカバー５０と一体化されているシールカッター５１もＩＣタグシール貼付面８２の外側に向けてヒンジピン１４２ａの軸廻りに揺動するため、ＩＣタグシール４５は、シールカッター５１の切断刃１７３ａによりＩＣチップ４５ｂ上で自動的に二つに切断される（図１９（ｂ））。
【０１１０】
このように、シールカバー５０を取り外す際には自動的にＩＣタグシール４５が切断されるため、主基板ケース４３から痕跡を残すことなく封印シールを剥がし取り、再利用することは不可能である。
【０１１１】
（Ｂ３）主基板ケース４３の開封
シールカバー５０を取り外すことによってシールカバー５０による封止状態及びＩＣタグシール４５による封印状態が解除されると、続いて、連結部材５２の第２連結バンド部１３２を切断して主基板ケース４３と閉鎖封止部材４７との連結を解除した上で、第１表ケース側封止装着部７３ｂの連結リブ１０８ａ〜１０８ｄをニッパー等の切断工具を用いて切断し、その第１表ケース側封止装着部７３ｂを閉鎖封止部材４７と共に表ケース体４２から取り外す（図２０（ａ），（ｂ））。これにより、主基板ケース４３の閉鎖封止状態が解除されるため、裏ケース体４１を表ケース体４２に対して閉鎖アンロック状態側にスライドさせることにより主基板ケース４３を開封することができる。
【０１１２】
（Ｃ１）２回目の主基板ケース４３の封止
本実施形態の主基板ケースユニット１４では、一度開封された後、その痕跡を残した状態でもう一度封止を行うことができるようになっている。以下、その２回目の封止、開封手順について簡単に説明する。なお、シールカバー５０は１回目の開封時に損壊させたため、２回目の封止時にこれを再び装着することはできない。また、２回目の封止には装着封止部材４８は使用しない。
【０１１３】
まず、１回目の封止時と同じように、表ケース体４２を裏ケース体４１に対して前側から嵌め合わせて閉鎖アンロック状態とした後、表ケース体４２を裏ケース体４１に対して右向きにスライドさせて閉鎖ロック状態とする。このとき、装着封止部材４８は第２裏ケース側封止装着部７４ａ内へは挿入しない。
【０１１４】
続いて、１回目の開封時に表ケース体４２から切り離した閉鎖封止部材４７を、今回は第１封止装着部７３ではなく第２封止装着部７４に挿入する（図２１）。なお、第２封止装着部７４を構成する第２表ケース側封止装着部７４ｂは、１回目の開封時に閉鎖蓋１１０が除去されて閉鎖封止部材４７を挿入可能な状態となっている。これにより、第２裏ケース側封止装着部７４ａと第２表ケース側封止装着部７４ｂとが閉鎖スライド方向に相対移動不可能となるため、裏ケース体４１と表ケース体４２とは閉鎖ロック状態で規制される。しかも抜け止め係合爪１２３は第２裏ケース側封止装着部７４ａによって覆われた状態となるため、外部から抜け止め係合爪１２３の係合を解除して閉鎖封止部材４７を抜き取ることはできず、従って主基板ケース４３は閉鎖アンロック状態側へのスライドが解除不能に阻止された閉鎖封止状態となる。
【０１１５】
（Ｃ２）２回目の主基板ケース４３の取付ベース３６への装着・封止
次に、主基板ケース４３を、その裏側の突起部１６５（図７）をニッパー等により除去した上で取付ベース３６に嵌め込んで装着アンロック状態とし、上下の仮固定フック１５５、１５６により仮固定する。そして、主基板ケース４３を取付ベース３６に対して第２装着ロック状態側、即ち１回目とは逆の左向きにスライドさせる。このとき、スライド規制部１６４に対応する突起部１６５が既に除去されているため、その第２装着ロック状態側へのスライドが規制されることはない。
【０１１６】
これにより、主基板ケース４３側の係合突起８０が第２装着封止係合爪１５８に係合し、装着アンロック状態側へのスライドが規制される（図２２）。しかも、外部から第２装着封止係合爪１５８の係合を解除することはできず、従って主基板ケース４３は取付ベース３６に対して装着アンロック状態側へのスライドが解除不能に阻止された装着封止状態となる。
【０１１７】
（Ｄ１）２回目の主基板ケース４３の取り外し
以上のように装着された主基板ケース４３を取り外す際には、まず第１封止装着部７３内にドライバー等の工具を用いて開口蓋７９を突き破り、開口蓋７９を除去して開口部８１を形成する（図２３）。そして、その開口部８１を通して第２装着封止係合爪１５８を押圧して係合突起８０への係合を解除しつつ主基板ケース４３を取付ベース３６に対して装着アンロック状態側にスライドさせることにより取付ベース３６から取り外すことができる。
【０１１８】
（Ｄ２）２回目の主基板ケース４３の開封
続いて、第２表ケース側封止装着部７４ｂの連結リブ１０８ａ〜１０８ｄをニッパー等の切断工具を用いて切断し、その第２表ケース側封止装着部７４ｂを閉鎖封止部材４７と共に表ケース体４２から取り外す（図２４）。これにより、主基板ケース４３の閉鎖封止状態が解除されるため、裏ケース体４１を表ケース体４２に対して閉鎖アンロック状態側にスライドさせることにより主基板ケース４３を開封することができる。
【０１１９】
以上説明したように、本実施形態のスロットマシンでは、裏ケース側貼付面８２ａと表ケース側貼付面８２ｂとの間に配置され、刃先が両貼付面８２ａ，８２ｂの外側に突出しない退避状態と突出する切断状態との間で移動可能なシールカッター５１と、主基板ケース４３に装着され且つＩＣタグシール４５の表面を略覆う被覆状態とＩＣタグシール４５の表面から離間する開放状態との間で移動可能なシールカバー５０とを備え、貼付された状態のＩＣタグシール４５を退避状態のシールカッター５１と被覆状態のシールカバー５０とで両面から挟み込むようにシールカバー５０とシールカッター５１とを主基板ケース４３に装着すると共に、シールカッター５１の退避／切断状態とシールカバー５０の被覆／開放状態とが対応するようにシールカッター５１とシールカバー５０とを連動手段１７２により連動させているため、シールカバー５０を装着したままではＩＣタグシール４５を剥がすことができず、またシールカバー５０を取り外す際にはシールカッター５１によりＩＣタグシール４５が切断されるため、主基板ケース４３から痕跡を残すことなく封印シールを剥がし取ることを完全に防止できる。
【０１２０】
また、シールカバー５０を被覆状態で主基板ケース４３に封止するシールカバー封止手段１１２，１４３を設けているため、痕跡を残すことなく主基板ケース４３からシールカバー５０を取り外すことはできず、仮にそのような不正行為が行われた場合には発見が容易である。
【０１２１】
また、裏ケース側貼付面８２ａと表ケース側貼付面８２ｂとで構成されるＩＣタグシール貼付面８２の一部に、ＩＣタグシール４５を屈曲状に案内する屈曲部８９を設け、シールカバー５０を屈曲部８９に沿った形状に形成しているため、例えばカッターナイフ等、薄板状の刃物等をＩＣタグシール４５とＩＣタグシール貼付面８２との間の粘着層に挿入してＩＣタグシール４５をきれいに剥がし取ることは困難である。
【０１２２】
シールカッター５１はＩＣタグシール４５上のＩＣチップ４５ｂと交差するように配置されているため、シールカッター５１によりＩＣタグシール４５が切断される際にはＩＣチップ４５ｂを確実に損壊させることができ、ＩＣタグシール４５の再使用を防止できる。
【０１２３】
連動手段１７２はシールカッター５１側の連動係合部１７１とシールカバー５０側の連動被係合部１４９とで構成されており、シールカッター５１はＩＣタグシール４５の貼付前に退避状態で主基板ケース４３に装着され、ＩＣタグシール４５の貼付後にシールカバー５０が主基板ケース４３に装着されて被覆状態となったとき、連動係合部１７１と連動被係合部１４９とが互いに係合するように構成されており、シールカッター５１とシールカバー５０とは同一のヒンジピン（回転軸）１４２ａ廻りに揺動可能に構成され、ヒンジピン（回転軸）１４２ａと連動手段１７２とをＩＣタグシール４５を挟んでその両側に配置しているため、シールカッター５１及びシールカバー５０の装着が容易でしかも両者を確実に連動させることができる。
【０１２４】
以上、本発明の実施形態について詳述したが、本発明はこれらの実施形態に限定されるものではなく、本発明の趣旨を逸脱しない範囲で種々の変更が可能である。例えば、シールカッター５１とシールカバー５０とを共にＩＣタグシール４５の貼付後に主基板ケース４３に装着可能に構成してもよい。また、シールカッター５１とシールカバー５０とを一体に設けてもよい。但しこれらの場合には、ＩＣタグシール４５を貼付したままでシールカッター５１とシールカバー５０とを取り外すことができないようにする必要がある。
【０１２５】
シールカッター５１は、ＩＣタグシール等の封印シール４５の一部分のみを切断するものでもよい。また、シールカッター５１は、封印シール４５に穴をあける等、封印シール４５の一部を損壊させるものであればよい。
【０１２６】
裏ケース側貼付面（甲ケース体側貼付面）８２ａと表ケース側貼付面（乙ケース体側貼付面）８２ｂとは、裏ケース体（甲ケース体）４１と表ケース体（乙ケース体）４２とが嵌め合わされたときに互いに連結して１つのＩＣタグシール貼付面（封印シール貼付面）８２を形成するものであればよく、裏ケース体（甲ケース体）４１と表ケース体（乙ケース体）４２との嵌め合わせ構造や、裏ケース側貼付面８２ａと表ケース側貼付面８２ｂとの隣接方向等は任意である。
【０１２７】
従って、例えば第１の実施形態を変更して、裏ケース側貼付面８２ａと表ケース側貼付面８２ｂとを閉鎖スライド方向に対して直交する方向、即ち上下に隣接するように配置してもよい。この場合、裏ケース体４１と表ケース体４２とが閉鎖アンロック状態のとき、裏ケース側貼付面８２ａと表ケース側貼付面８２ｂとは互いの連結辺４７ａ，４７ｂが閉鎖スライド方向にずれた状態となり、裏ケース体４１と表ケース体４２とが閉鎖ロック状態となったとき、互いの連結辺４７ａ，４７ｂが一致して裏ケース側貼付面８２ａと表ケース側貼付面８２ｂとが上下に連結される。
【０１２８】
また、基板ケース４３は、甲ケース体４１と乙ケース体４２とを基板１３の左右両側、又は上下両側から嵌め合わせるように構成してもよい。また、基板ケース４３の封止方法、基板ケース４３の本体ケース２等への装着・封止方法も任意である。また、連結部材５２、コネクタカバー４６等は必須の構成ではなく、省略してもよい。
【０１２９】
封印シール貼付面８２は、屈曲部８２を設けることなく全体を平面に形成してもよい。屈曲部８２を設ける場合には、その形状は任意であり、例えば緩やかな波形等に形成してもよい。また封印シール４５はＩＣタグシールでなくてもよい。
【０１３０】
基板ケースは主制御基板１３を格納するものに限られず、例えば演出制御基板を格納する演出基板ケース、払い出し制御基板を格納する払い出し基板ケース等についても同様に実施可能である。更に、実施形態では本発明をスロットマシンに適用した例を示したが、パチンコ機、アレンジボール機等の各種遊技機において同様に実施可能であることは言うまでもない。
【符号の説明】
【０１３１】
４１    裏ケース体（甲ケース体）
４２    表ケース体（乙ケース体）
４３    主基板ケース（基板ケース）
４５    ＩＣタグシール（封印シール）
４５ｂ  ＩＣチップ
５０    シールカバー
５１    シールカッター
８２    ＩＣタグシール貼付面（封印シール貼付面）
８２ａ  裏ケース側貼付面（甲ケース側貼付面）
８２ｂ  表ケース側貼付面（乙ケース側貼付面）
８９    屈曲部
１１２    被結合部（シールカバー封止手段）
１４２ａ  ヒンジピン（回転軸）
１４３    結合ピン（シールカバー封止手段）
１４９    連動被係合部
１７１    連動係合部
１７２    連動手段
【図１】
0005442837.tif 000002
【図２】
0005442837.tif 000003
【図３】
0005442837.tif 000004
【図４】
0005442837.tif 000005
【図５】
0005442837.tif 000006
【図６】
0005442837.tif 000007
【図７】
0005442837.tif 000008
【図８】
0005442837.tif 000009
【図９】
0005442837.tif 000010
【図１０】
0005442837.tif 000011
【図１１】
0005442837.tif 000012
【図１２】
0005442837.tif 000013
【図１３】
0005442837.tif 000014
【図１４】
0005442837.tif 000015
【図１５】
0005442837.tif 000016
【図１６】
0005442837.tif 000017
【図１７】
0005442837.tif 000018
【図１８】
0005442837.tif 000019
【図１９】
0005442837.tif 000020
【図２０】
0005442837.tif 000021
【図２１】
0005442837.tif 000022
【図２２】
0005442837.tif 000023
【図２３】
0005442837.tif 000024
【図２４】
0005442837.tif 000025